(57)【要約】【課題】検査用コネクタが干渉する可能性を低減させたタッチパネル付表示モジュールを提供すること。【解決手段】本発明にかかる表示装置は、矩形の表示パネルと、前記表示パネルの一辺から前記一辺に直交する方向に延び、コネクタに接続するための第１の端子部を有するフィルム状の第１の配線基板と、前記表示パネルに対向して設けられた矩形のタッチパネルと、前記タッチパネルの一辺であって、前記表示パネルの前記一辺に平行かつ隣接する辺から前記表示パネルの前記一辺に直交する前記方向に延び、コネクタに接続するための第２の端子部を有するフィルム状の第２の配線基板と、を含み、一方の接続方向と他方の接続方向が異なるよう前記第１の端子部と前記第２の端子部が設けられている、ことを特徴とする。【選択図】図６
2010085923.tif 000002
【特許請求の範囲】
【請求項１】
矩形の表示パネルと、
前記表示パネルの一辺から前記一辺に直交する方向に延び、コネクタに接続するための第１の端子部を有するフィルム状の第１の配線基板と、
前記表示パネルに対向して設けられた矩形のタッチパネルと、
前記タッチパネルの一辺であって、前記表示パネルの前記一辺に平行かつ隣接する辺から前記表示パネルの前記一辺に直交する前記方向に延び、コネクタに接続するための第２の端子部を有するフィルム状の第２の配線基板と、を含み、
一方の接続方向と他方の接続方向が異なるよう前記第１の端子部と前記第２の端子部が設けられている、
ことを特徴とする表示装置。
【請求項２】
前記表示パネルの前記一辺の両端につながる平行な二辺から延びる線の間に前記第１の端子部と前記第２の端子部が位置する、
ことを特徴とする請求項１に記載の表示装置。
【請求項３】
前記一方の接続方向は、前記表示パネルの前記一辺に直交する前記方向を前記表示パネルの前記一辺の一端側に傾けてなる方向である、
ことを特徴とする請求項１に記載の表示装置。
【請求項４】
前記他方の接続方向は、前記表示パネルの前記一辺に直交する前記方向である、
ことを特徴とする請求項３に記載の表示装置。
【請求項５】
前記第１の端子部と前記第２の端子部とのうちいずれか幅の狭い方の接続方向は、前記表示パネルの前記一辺に直交する前記方向を前記一辺の一端側に傾けてなる方向である、
ことを特徴とする請求項３に記載の表示装置。
【請求項６】
前記他方の接続方向は、前記表示パネルの前記一辺に直交する前記方向を前記一辺の他端側に傾けてなる方向である、
ことを特徴とする請求項３に記載の表示装置。
【請求項７】
前記タッチパネルの前記表示パネルと反対側の面に透明な板が接着される、
ことを特徴とする請求項１に記載の表示装置。
【発明の詳細な説明】
【技術分野】
【０００１】
本発明は表示装置に関する。
【背景技術】
【０００２】
近年液晶表示パネルなどの表示パネルにタッチパネルを取付けたモジュール（タッチパネル付表示モジュール）が普及しつつある。上記モジュールでは、それぞれのパネルに配線基板（例えばフレキシブル配線基板ＦＰＣ）が取付けられており、それらの配線基板にある端子部は他の制御用基板と接続される。
【発明の開示】
【発明が解決しようとする課題】
【０００３】
携帯電話等の小型機器に用いられるタッチパネル付表示モジュールでは、それを構成する液晶表示パネル等の表示パネルおよびタッチパネルの同じ側にある辺に配線基板をそれぞれ取付けることが求められる。さらにそれぞれの配線基板には、上述の辺と平行に端子が並ぶ端子部が配置され、それぞれの端子部が対応するコネクタに接続することが考えられる。図９は、タッチパネル付表示モジュールの一例を示す平面図である。フロントウインドウＦＷの下部にはタッチパネルと表示パネルとが存在し、各パネルからタッチパネル用フレキシブル配線基板ＴＦＰＣと表示パネル用配線基板ＤＦＰＣが延びており、それぞれの先に表示パネル用端子部ＤＴＥとタッチパネル用端子部ＴＴＥが配置されている。図１０は、図９の配線基板ＤＦＰＣ，ＴＦＰＣ付近の部分拡大図である。表示パネル用端子部ＤＴＥを構成する端子の並ぶ向きと、タッチパネル用端子部ＴＴＥを構成する端子の並ぶ向きとは平行になっている。
【０００４】
一方、表示パネルとタッチパネルの検査用のコネクタは耐久性や部品への傷等を生じないことが要求されるため大型化する方が望ましい。しかし大型化したコネクタを用いるとそのコネクタ同士が干渉するという問題があった。その例について以下に示す。図１１は、図１０に示す表示パネル用端子部ＤＴＥおよびタッチパネル用端子部ＴＴＥに検査用コネクタＤＣＮ，ＴＣＮを接続する場合の位置関係の一例を示す図である。本図では表示パネル用端子部ＤＴＥに接続した検査用コネクタＤＣＮを実線で、タッチパネル用端子部ＴＴＥに接続しようとしている検査用コネクタＴＣＮを２点鎖線で表している。コネクタＴＣＮ，ＤＣＮは端子の並ぶ向きの幅が大きいため間隔が確保できず、検査用コネクタＤＣＮ，ＴＣＮが干渉してしまう。
【０００５】
本発明は上記課題に鑑みてなされたものであって、その目的は、検査用コネクタが干渉しない表示装置を提供することにある。
【課題を解決するための手段】
【０００６】
本出願において開示される発明のうち、代表的なものの概要を簡単に説明すれば、以下の通りである。
【０００７】
本発明にかかる表示装置は、矩形の表示パネルと、前記表示パネルの一辺から前記一辺に直交する方向に延び、コネクタに接続するための第１の端子部を有するフィルム状の第１の配線基板と、前記表示パネルに対向して設けられた矩形のタッチパネルと、前記タッチパネルの一辺であって、前記表示パネルの前記一辺に平行かつ隣接する辺から前記表示パネルの前記一辺に直交する前記方向に延び、コネクタに接続するための第２の端子部を有するフィルム状の第２の配線基板と、を含み、一方の接続方向と他方の接続方向が異なるよう前記第１の端子部と前記第２の端子部が設けられている、ことを特徴とする。
【０００８】
また、本発明の一態様では、前記表示パネルの前記一辺の両端につながる平行な二辺から延びる線の間に前記第１の端子部と前記第２の端子部が位置してもよい。
【０００９】
また、本発明の一態様では、前記一方の接続方向は、前記表示パネルの前記一辺に直交する前記方向を前記表示パネルの前記一辺の一端側に傾けてなる方向であってもよい。
【００１０】
また、本発明の一態様では、前記他方の接続方向は、前記表示パネルの前記一辺に直交する前記方向であってもよい。
【００１１】
また、本発明の一態様では、前記第１の端子部と前記第２の端子部とのうちいずれか幅の狭い方の接続方向は、前記表示パネルの前記一辺に直交する前記方向を前記一辺の一端側に傾けてなる方向であってもよい。
【００１２】
また、本発明の一態様では、前記他方の接続方向は、前記表示パネルの前記一辺に直交する前記方向を前記一辺の他端側に傾けてなる方向であってもよい。
【００１３】
また、本発明の一態様では、前記タッチパネルの前記表示パネルと反対側の面に透明な板が接着されていてもよい。
【発明の効果】
【００１４】
本発明によれば、検査用コネクタが干渉しない表示装置を提供することができる。
【発明を実施するための最良の形態】
【００１５】
以下、本発明の実施形態の例について図面に基づき詳細に説明する。以下では表示装置の一種である携帯電話向けのタッチパネル付液晶表示モジュールに本発明を適用した例について記載する。
【００１６】
本発明の実施形態に係るタッチパネル付液晶表示モジュールは、配線基板が取付けられた液晶表示パネルと、配線基板が取付けられたタッチパネルと、フロントウインドウ等で構成される。
【００１７】
図１は、本発明の実施形態に係る液晶表示パネルを示す平面図である。液晶表示パネルは、矩形のＴＦＴアレイ基板ＳＵＢ１と、ＴＦＴアレイ基板ＳＵＢ１に対向して設けられる矩形のカラーフィルタ基板ＳＵＢ２と、カラーフィルタ基板ＳＵＢ２の上方に設けられた偏光板ＰＬと、ＴＦＴアレイ基板ＳＵＢ１上の領域でかつカラーフィルタ基板ＳＵＢ２に覆われていない長方形の領域に配置された液晶駆動用チップＤＩＣと、を含んでなる。液晶表示パネルのＴＦＴアレイ基板ＳＵＢ１の周囲には樹脂モールドＭＤが取付けられている。さらに上述の長方形の領域の一辺をなすＴＦＴアレイ基板ＳＵＢ１の一辺に沿って表示パネル用配線基板ＤＦＰＣが取付けられ、表示パネル用配線基板ＤＦＰＣはその辺に直交する方向に延びている。表示パネル用配線基板ＤＦＰＣ上には液晶駆動用電子部品配置領域ＤＣＡが存在し、この領域には様々な電子部品が配置されている。また表示パネル用配線基板ＤＦＰＣの先には表示パネル用端子部ＤＴＥが配置されている。表示パネル用配線基板ＤＦＰＣは、フレキシブル配線基板である。折り曲げられていない状態では表示パネル用配線基板ＤＦＰＣとＴＦＴアレイ基板ＳＵＢ１とは平行である。
【００１８】
図２は、本発明の実施形態に係るタッチパネルを示す平面図である。タッチパネルは、矩形のタッチパネルスクリーンＴＳを中心として構成されている。タッチパネルには、タッチパネルスクリーンＴＳの一辺に沿ってタッチパネル用配線基板ＴＦＰＣが取付けられ、タッチパネル用配線基板ＴＦＰＣはその辺に直交する方向に延びている。タッチパネル用配線基板ＴＦＰＣ上にはタッチパネル制御用チップＴＩＣが配置される。またそれとは別にタッチパネル用電子部品配置領域ＴＣＡが存在し、この領域には様々な電子部品が配置されている。タッチパネル用配線基板ＴＦＰＣの先にはタッチパネル用端子部ＴＴＥが配置される。タッチパネル用配線基板ＴＦＰＣは、フレキシブル配線基板である。折り曲げられていない状態ではタッチパネル用配線基板ＴＦＰＣとタッチパネルスクリーンＴＳとは平行である。
【００１９】
図３は、本発明の実施形態に係るフロントウインドウＦＷを示す平面図である。フロントウインドウＦＷはアクリル等の透明な矩形の板の一部を黒色に印刷したものである。その黒色に印刷した部分が印刷部ＰＡである。印刷部ＰＡは、表示パネルと重ね合わされた際に表示領域と重ならないようになっている。本実施形態においては、フロントウインドウＦＷの横幅は液晶表示パネルのＴＦＴアレイ基板ＳＵＢ１の幅より広い。なお、携帯電話などのタッチパネル付液晶表示モジュールが取付けられる筐体の構造にあわせてフロントウインドウＦＷの大きさは変化してもよい。
【００２０】
図４は、本発明の実施形態に係るタッチパネル付液晶表示モジュールの平面図である。図４に示すタッチパネル付液晶表示モジュールは、図１に示す液晶表示パネルと図２に示すタッチパネルと図３に示すフロントウインドウＦＷとを重ねてなるものである。液晶表示パネルの上方にタッチパネルを、タッチパネルの上方にフロントウインドウを重ねている。ＴＦＴアレイ基板ＳＵＢ１において表示パネル用配線基板ＤＦＰＣが取付けられた側の辺（以下「表示パネル基準辺」という）と、タッチパネルスクリーンＴＳにおいてタッチパネル用配線基板ＴＦＰＣが取付けられた側の辺（以下「タッチパネル基準辺」という）とはタッチパネル付液晶表示モジュールの同じ側に位置している。表示パネル用配線基板ＤＦＰＣとタッチパネル用配線基板ＴＦＰＣとは平面的に見て一部が重なり合っている。
【００２１】
図５は図４のＡ−Ａ断面における断面図である。ＴＦＴアレイ基板ＳＵＢ１の上方にＴＦＴアレイ基板ＳＵＢ１に対向してカラーフィルタ基板ＳＵＢ２が設けられ、カラーフィルタ基板ＳＵＢ２の上方に偏光板ＰＬが配置されている。ＴＦＴアレイ基板ＳＵＢ１の下方には樹脂モールドＭＤが配置されている。液晶表示パネルとタッチパネルとは、偏光板ＰＬとその上方にあるタッチパネルスクリーンＴＳとの間の粘着層ＡＤ２によって接着されている。タッチパネルとフロントウインドウＦＷとは、タッチパネルスクリーンＴＳとその上方にあるフロントウインドウＦＷとの間の粘着層ＡＤ１によって接着されている。フロントウインドウＦＷの下面の一部に印刷部ＰＡが存在し、その一部は粘着層ＡＤ１に接している。なお、フロントウインドウＦＷとタッチパネルとは、その全面が接着層ＡＤ１で接着されており、これによりタッチパネル付液晶表示モジュールで表示する光の視認性の向上と構造の簡略化を図っている。
【００２２】
図５からわかるように、タッチパネルスクリーンＴＳとＴＦＴアレイ基板ＳＵＢ１とは平行である。それぞれに取付けられる表示パネル用配線基板ＤＦＰＣとタッチパネル用配線基板ＴＦＰＣも折り曲げられない状態では平行である。また、ＴＦＴアレイ基板ＳＵＢ１の各辺と、それぞれに隣接するタッチパネルスクリーンＴＳの各辺とは平行である。よって、表示パネル基準辺から表示パネル用配線基板ＤＦＰＣが延びる向き（表示パネル基準辺と直交しているとする）と、タッチパネル基準辺からタッチパネル用配線基板ＴＦＰＣが延びる向き（タッチパネル基準辺と直交しているとする）は同じ方向（以下、「延出方向」という）となる。
【００２３】
図６は図４の配線基板および端子部の部分を拡大した平面図であり、本発明の実施形態に係る端子部の構成の一例を示している。
【００２４】
本図のフロントウインドウＦＷの下方に存在するタッチパネルスクリーンＴＳからタッチパネル用配線基板ＴＦＰＣが延出方向に延びている。タッチパネル用配線基板ＴＦＰＣは平面的にみて途中で曲がっており、その先にタッチパネル用端子部ＴＴＥが配置される。またタッチパネルスクリーンＴＳの下方に存在するＴＦＴアレイ基板ＳＵＢ１から表示パネル用配線基板ＤＦＰＣが延出方向に延びている。表示パネル用配線基板ＤＦＰＣの先には表示パネル用端子部ＤＴＥが配置される。
【００２５】
表示パネル用端子部ＤＴＥとタッチパネル用端子部ＴＴＥとは、平面的に見て左右に離間して設けられている。具体的には、表示パネル用端子部ＤＴＥは図中左側に、タッチパネル用端子部ＴＴＥは図中右側に配置されている。さらにそれぞれの端子部は配線基板の縁に直線上に並ぶ複数の端子によって構成されている。各端子は配線基板の配線パターンの一部が露出して形成されている。表示パネル用端子部ＤＴＥに含まれる端子の並ぶ向きは、表示パネル基準辺に平行であり、表示パネル用端子部ＤＴＥの接続方向は、延出方向となる。ここで、端子部の接続方向とは、端子部をコネクタに挿す方向のことであり、具体的には端子の並ぶ向きに直交しかつその端子部が配置される配線基板から離れる方向のことである。タッチパネル用端子部ＴＴＥの接続方向は延出方向から平面的にタッチパネル基準辺（表示パネル基準辺でも良い）の右端の向きへ９０度傾いてなる方向である。また、タッチパネル用端子部ＴＴＥの幅は、表示パネル用端子部ＤＴＥの幅より狭い。なお端子部の幅とは、端子の並ぶ向きの端子部の長さのことである。
【００２６】
表示パネル用端子部ＤＴＥとタッチパネル用端子部ＴＴＥは、フロントウインドウＦＷの下方にあるＴＦＴアレイ基板ＳＵＢ１の表示パネル基準辺の両端につながる平行な二辺から延びる線の間（以下、二辺の間の距離を「実装幅」という）に平面的に位置している。実装幅の中に表示パネル用端子部ＤＴＥとタッチパネル用端子部ＴＴＥを収めているのは、携帯電話等ではその幅のほとんどを表示パネルが占めるため、その幅を超えると携帯電話等の外装パネル等と干渉するからである。なお、携帯電話等に組み込まれる際には、表示パネル用配線基板ＤＦＰＣおよびタッチパネル用配線基板ＴＦＰＣはともに折り曲げられ、その端子部ＤＴＥ，ＴＴＥは他の基板に存在するコネクタに接続される。
【００２７】
図６には、表示パネル用端子部ＤＴＥに接続される検査用コネクタＤＣＮと、タッチパネル用端子部ＴＴＥに接続される検査用コネクタＴＣＮがそれぞれ破線で示されている。これらの検査用コネクタＤＣＮ，ＴＣＮは物理的位置が離れるために干渉しない。
【００２８】
検査用コネクタＤＣＮ，ＴＣＮが干渉しない理由は、各コネクタを延出方向からみて表示パネル基準辺に平行な辺（以下、投影辺）に投影してみればわかる。投影辺に投影した二つの検査用コネクタＤＣＮ，ＴＣＮが重ならなければ干渉しないことになるからである。左側に位置する表示パネル用端子部ＤＴＥに接続される検査用コネクタＤＣＮを投影すると、その右端は表示パネル用端子部ＤＴＥの根本側もしくは接続方向側にある検査用コネクタＤＣＮの辺の右端となる。一方、右側に位置する検査用コネクタＴＣＮの接続方向は延出方向から表示パネル基準辺の方向に９０度回転しているため、検査用コネクタＴＣＮを投影辺に投影したものの左端はタッチパネル用端子部ＴＴＥの根本側にある検査用コネクタＴＣＮの辺となる。さらに、タッチパネル用端子部ＴＴＥの端子の並ぶ向きが延出方向となり投影辺でみた長さが小さくなるため、タッチパネル用端子部ＴＴＥの位置を右端に寄せることができる。そのために検査用コネクタＤＣＮ，ＴＣＮの干渉をなくすことができる。
【００２９】
ここで、上述のように検査用コネクタＤＣＮ，ＴＣＮは干渉しないが、図６の例では別途検査用コネクタＤＣＮとタッチパネル用配線基板ＴＦＰＣとが干渉しないようにそれらの間隔Ｄ１を確保している。設計上は表示パネル用配線基板ＤＦＰＣとタッチパネル用配線基板ＴＦＰＣとの間隔Ｄ２を確保するよう考慮すればよい。
【００３０】
また、タッチパネル用端子部ＴＴＥの端子の並ぶ向きが延出方向であるため、タッチパネル用配線基板ＴＦＰＣは平面的に見てフロントウインドウＦＷから検査用コネクタＤＣＮの根本側の辺の長さ以上は延びている必要がある。図６の例では幅の狭いタッチパネル用端子部ＴＴＥの端子の並ぶ向きが延出方向であるため、表示パネル用端子部ＤＴＥの端子の並ぶ向きを延出方向とするよりも配線基板の長さを短く抑え、１枚の配線基板材料から取り出せるフレキシブル配線基板の数を減少させないことができる。なお、表示パネル用端子部ＤＴＥとタッチパネル用端子部ＴＴＥの左右の位置関係が反対でもこれまでに説明したものと同様の効果が得られる。
【００３１】
図７は、本発明の実施形態に係る端子部の構成の他の一例を示す図である。フロントウインドウＦＷの下方に存在するタッチパネルスクリーンＴＳとタッチパネル用配線基板ＴＦＰＣとの関係および、タッチパネルスクリーンＴＳの下方に存在するＴＦＴアレイ基板ＳＵＢ１と表示パネル用配線基板ＤＦＰＣの関係は図６の例と同様である。表示パネル用配線基板ＤＦＰＣは平面的にみて途中で曲がっており、その先には表示パネル用端子部ＤＴＥが配置される。タッチパネル用配線基板ＴＦＰＣも平面的にみて途中で曲がっており、その先にタッチパネル用端子部ＴＴＥが配置されている。
【００３２】
表示パネル用端子部ＤＴＥとタッチパネル用端子部ＴＴＥとは、平面的に見て左右に離間して設けられている。具体的には、表示パネル用端子部ＤＴＥは図中左側に、タッチパネル用端子部ＴＴＥは図中右側に配置されている。表示パネル用端子部ＤＴＥの接続方向は、延出方向から平面的に表示パネル基準辺の左端の向きへ９０度傾いてなる方向である。タッチパネル用端子部ＴＴＥの接続方向は延出方向から平面的にタッチパネル基準辺（表示パネル基準辺でも良い）の右端の向きへ９０度傾いてなる方向である。また、タッチパネル用端子部ＴＴＥの幅は、表示パネル用端子部ＤＴＥの幅より狭い。表示パネル用端子部ＤＴＥとタッチパネル用端子部ＴＴＥは、図６の例と同様に平面的に見て実装幅に収まるよう位置している。
【００３３】
左側に位置する表示パネル用端子部ＤＴＥに接続される検査用コネクタＤＣＮを投影辺に投影すると、その右端は表示パネル用端子部ＤＴＥの根本側にある検査用コネクタＤＣＮの辺となる。一方、検査用コネクタＴＣＮを投影したものの左端はタッチパネル用端子部ＴＴＥの根本側にある検査用コネクタＴＣＮの辺となる。さらに、表示パネル用端子部ＤＴＥおよびタッチパネル用端子部ＴＴＥの端子の並ぶ向きが延出方向となり投影辺でみた長さが小さくなるため、表示パネル用端子部ＤＴＥを左端に、タッチパネル用端子部ＴＴＥの位置を右端に寄せることができる。そのために検査用コネクタＤＣＮ，ＴＣＮの干渉をなくすことができる。
【００３４】
図８は、本発明の実施形態に係る端子部の構成の他の一例を示す図である。フロントウインドウＦＷの下方に存在するタッチパネルスクリーンＴＳとタッチパネル用配線基板ＴＦＰＣとの関係および、タッチパネルスクリーンＴＳの下方に存在するＴＦＴアレイ基板ＳＵＢ１と表示パネル用配線基板ＤＦＰＣの関係は図６の例と同様である。表示パネル用配線基板ＤＦＰＣは延出方向に延び、その先には表示パネル用端子部ＤＴＥが配置される。タッチパネル用配線基板ＴＦＰＣは平面的にみて途中で曲がっており、その先にタッチパネル用端子部ＴＴＥが配置されている。
【００３５】
表示パネル用端子部ＤＴＥとタッチパネル用端子部ＴＴＥとは、平面的に見て左右に離間して設けられている。具体的には、表示パネル用端子部ＤＴＥは図中左側に、タッチパネル用端子部ＴＴＥは図中右側に配置されている。表示パネル用端子部ＤＴＥの接続方向は延出方向である。タッチパネル用端子部ＴＴＥの接続方向は延出方向から平面的にタッチパネル基準辺（表示パネル基準辺でも良い）の右端の向きへα度（αは９０度未満の正の値であり、本図では４５度である）傾いてなる方向である。また、タッチパネル用端子部ＴＴＥの幅は、表示パネル用端子部ＤＴＥの幅より狭い。表示パネル用端子部ＤＴＥとタッチパネル用端子部ＴＴＥは、図６の例と同様に平面的に見て実装幅に収まるよう位置している。
【００３６】
左側に位置する表示パネル用端子部ＤＴＥに接続される検査用コネクタＤＣＮを投影辺に投影すると、その右端は表示パネル用端子部ＤＴＥの根本側あるいは接続方向側にある検査用コネクタＤＣＮの辺の右端となる。一方、右側に位置する検査用コネクタＴＣＮを投影辺に投影したものの左端はタッチパネル用端子部ＴＴＥの根本側にある検査用コネクタＴＣＮの辺の左端となる。ここで、表示パネル用端子部ＤＴＥの端子の並ぶ向きがα度傾いているため、投影辺でみた長さは（タッチパネル用端子部ＴＴＥの幅）×ｃｏｓ（α）となり接続方向が延出方向の場合より小さくなる。よってタッチパネル用端子部ＴＴＥの位置を実装幅の右端に寄せることができる。そのため検査用コネクタＤＣＮ，ＴＣＮの干渉をなくすことができる。また、タッチパネル用端子部ＴＴＥの延出方向の長さが図６や図７の例と比べてもさらに小さいため、配線基板の長さを短く抑え、１枚の配線基板材料から取り出せるフレキシブル配線基板の数を減少させないことができる。
【００３７】
なお、図６の例と同じように、別途検査用コネクタＤＣＮとタッチパネル用配線基板ＴＦＰＣとが干渉しないようにそれらの間隔Ｄ１を確保している。設計上は表示パネル用配線基板ＤＦＰＣとタッチパネル用配線基板ＴＦＰＣとの間隔Ｄ２を確保するよう考慮すればよい。
【００３８】
これまで説明した例により、検査用コネクタＤＣＮ，ＴＣＮの干渉を抑えることができる。さらに検査用コネクタＤＣＮ，ＴＣＮは大型でも良いため、汎用のＦＰＣ用コネクタを使用することも可能となる。そうすれば検査治具の整備をより容易に行うことができる。なお、検査用コネクタの干渉に対する他の対応方法の一つとして片方の端子部をコネクタのハウジング部分を超え干渉しなくなるまで延出方向にのばすことも考えられるが、それと比べても１枚の配線基板材料から取り出せるフレキシブル配線基板の数を減らさないことができ、取り数の減少を抑えられる利点がある。さらにフレキシブル配線基板の延出方向の長さが短いため機器の小型化に向いているなどの利点もある。
【００３９】
なお、本発明の実施形態では携帯電話機向けのタッチパネル付液晶表示モジュールについて説明しているが、これに限定されることはなく、たとえば液晶表示パネルの代わりに有機ＥＬ（Electro Luminescence）素子等の他の表示パネルを用いても、また例えば携帯電話機以外の用途であっても適用できることはいうまでもない。
【図面の簡単な説明】
【００４０】
【図１】本発明の実施形態に係る液晶表示パネルを示す平面図である。
【図２】本発明の実施形態に係るタッチパネルを示す平面図である。
【図３】本発明の実施形態に係るフロントウインドウを示す平面図である。
【図４】本発明の実施形態に係るタッチパネル付液晶表示モジュールの平面図である。
【図５】図４のＡ−Ａ断面における断面図である。
【図６】本発明の実施形態に係る端子部の構成の一例を示す平面図である。
【図７】本発明の実施形態に係る端子部の構成の他の一例を示す平面図である。
【図８】本発明の実施形態に係る端子部の構成の他の一例を示す平面図である。
【図９】タッチパネル付表示モジュールの一例を示す平面図である。
【図１０】図９の配線基板付近の部分拡大図である。
【図１１】図１０に示す端子部に検査用コネクタを接続する場合の位置関係の一例を示す図である。
【符号の説明】
【００４１】
ＭＤ  樹脂モールド、ＳＵＢ１  ＴＦＴアレイ基板、ＳＵＢ２  カラーフィルタ基板、ＰＬ  偏光板、ＤＩＣ  液晶駆動用チップ、ＤＦＰＣ  表示パネル用配線基板、ＤＣＡ  液晶駆動用電子部品配置領域、ＤＴＥ  表示パネル用端子部、ＴＳ  タッチパネルスクリーン、ＴＦＰＣ  タッチパネル用配線基板、ＴＩＣ  タッチパネル制御用チップ、ＴＣＡ  タッチパネル用電子部品配置領域、ＴＴＥ  タッチパネル用端子部、ＦＷ  フロントウインドウ、ＰＡ  印刷部、ＡＤ１，ＡＤ２  粘着層、ＤＣＮ，ＴＣＮ  検査用コネクタ。
【図１】
2010085923.tif 000003
【図２】
2010085923.tif 000004
【図３】
2010085923.tif 000005
【図４】
2010085923.tif 000006
【図５】
2010085923.tif 000007
【図６】
2010085923.tif 000008
【図７】
2010085923.tif 000009
【図８】
2010085923.tif 000010
【図９】
2010085923.tif 000011
【図１０】
2010085923.tif 000012
【図１１】
2010085923.tif 000013